【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、
上記第２のレンズは、第１の方向にそって、その第１の方向の曲率半径を変える面を持つ樹脂レンズと、ガラスで構成される第１の方向に正のパワーを持つガラスシリンダレンズにより構成されることを特徴とする光走査装置。
【請求項２】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーの少なくとも一部が正であり、第１の方向のパワーの方が大きい、樹脂を材料とする第３のレンズと、
により構成されている光走査装置において、
上記第２のレンズは、第１の方向に垂直な方向に、パワーを持つ面を持つ樹脂レンズと、第１の方向に正のパワーを持つガラスシリンダレンズにより構成されることを特徴とする光走査装置。
【請求項３】
上記第２のレンズは、第１の方向に垂直な方向に、負のパワーを持つ面を持つ樹脂レンズであることを特徴とする請求項２記載の光走査装置。
【請求項４】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第１の方向に垂直な方向にそって、その第１の方向に垂直な方向の曲率半径を変える面を持つ樹脂レンズと、ガラスで構成される第１の方向に正のパワーを持つガラスシリンダレンズにより構成されることを特徴とする光走査装置。
【請求項５】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第１の方向に正のパワーを持つ片面凸のガラスシリンダレンズと、光線が通過しない領域にガラスレンズの凸面側に接触する面を持つとともに、光線が通過する領域では、ガラスレンズの凸面側に、ガラス凸面の曲率と異なる曲率の面を持つ樹脂レンズと、を含むことを特徴とする光走査装置。
【請求項６】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第１の方向に、負のパワーを持つ面を持つ樹脂レンズと、第１の方向に正のパワーを持つ片面凸のガラスシリンダレンズを含み、第２のレンズの樹脂レンズとガラスシリンダレンズは、ガラスシリンダレンズの片面凸の面をはさんで空間部を持つとともに、第２のレンズの樹脂レンズはガラスシリンダレンズの片面凸面方向へ当たる突き出し部を有することを特徴とする光走査装置。
【請求項７】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第１の方向に、負のパワーを持つ面を持つ樹脂レンズと、第１の方向に正のパワーを持つ片面凸のガラスシリンダレンズを含み、第２のレンズの樹脂レンズとガラスシリンダレンズは、空間部を持つとともに、その間にほぼ一定厚みを持ち、変形可能なシートを入れていることを特徴とする光走査装置。
【請求項８】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第２の方向にそって、その第１の方向の曲率半径を変える面を持つ樹脂レンズと、ガラスで構成される第１の方向に正のパワーを持つガラスシリンダレンズと、により構成されていることを特徴とする光走査装置。
【請求項９】
発光源と、
前記発光源からの光線に所定の特性を持たせる第１のレンズと、第１のレンズからの光線を、第１の方向に集光させる第２のレンズと、を含む偏向前光学手段と、
前記偏向前光学系からの光を第１の方向に対し、概略垂直方向の、第２の方向へ偏向する、光偏向装置と、
前記光偏向装置によって偏向された光を所定の像面上に概略等速度で結像させる、第２の方向のパワーに対し、第１の方向のパワーの方が大きい、樹脂を材料とする第３のレンズと、
により構成されている光走査装置において、
上記第２のレンズは、第２の方向にそって、その第２の方向の曲率半径を変える面を持つ樹脂レンズと、ガラスで構成される第１の方向に正のパワーを持つガラスシリンダレンズと、により構成されていることを特徴とする光走査装置。
【手続補正２】
【補正対象書類名】明細書
【補正対象項目名】００１３
【補正方法】変更
【補正の内容】
【００１３】
【課題を解決するための手段】
この発明は、上述した問題点に基づきなされたもので、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第１の方向にそって、第１の方向の曲率半径を変える面を持つ樹脂レンズと、ガラスで構成される第１の方向に正のパワーを持つガラスシリンダレンズにより構成されることを特徴とする光走査装置を提供するものである。
【手続補正３】
【補正対象書類名】明細書
【補正対象項目名】００１４
【補正方法】変更
【補正の内容】
【００１４】
またこの発明は、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーの少なくとも一部が正であり、第１の方向のパワーの方が大きい、樹脂を材料とする第３のレンズと、により構成されている光走査装置において、上記第２のレンズは、第１の方向に垂直な方向に、パワーを持つ面を持つ樹脂レンズと、第１の方向に正のパワーを持つガラスシリンダレンズにより構成されることを特徴とする光走査装置を提供するものである。
【手続補正４】
【補正対象書類名】明細書
【補正対象項目名】００１６
【補正方法】変更
【補正の内容】
【００１６】
またさらにこの発明は、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第１の方向に垂直な方向にそって、その第１の方向に垂直な方向の曲率半径を変える面を持つ樹脂レンズと、ガラスで構成される第１の方向に正のパワーを持つガラスシリンダレンズにより構成されることを特徴とする光走査装置を提供するものである。
【手続補正５】
【補正対象書類名】明細書
【補正対象項目名】００１７
【補正方法】変更
【補正の内容】
【００１７】
さらにまたこの発明は、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第１の方向に正のパワーを持つ片面凸のガラスシリンダレンズと、光線が通過しない領域にガラスレンズの凸面側に接触する面を持つつとともに、光線が通過する領域では、ガラスレンズの凸面側に、ガラス凸面の曲率と異なる曲率の面を持つ樹脂レンズと、を含むことを特徴とする光走査装置を提供するものである。
【手続補正６】
【補正対象書類名】明細書
【補正対象項目名】００１８
【補正方法】変更
【補正の内容】
【００１８】
またさらにこの発明は、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第１の方向に、負のパワーを持つ面を持つ樹脂レンズと、第１の方向に正のパワーを持つ片面凸のガラスシリンダレンズを含み、第２のレンズの樹脂レンズとガラスシリンダレンズは、ガラスシリンダレンズの片面凸の面をはさんで空間部を持つとともに、第２のレンズの樹脂レンズはガラスシリンダレンズの片面凸面方向へ当たる突き出し部を有することを特徴とする光走査装置を提供するものである。
【手続補正７】
【補正対象書類名】明細書
【補正対象項目名】００１９
【補正方法】変更
【補正の内容】
【００１９】
さらにまたこの発明は、発光源と、前記発光源からの光線に所定の特性を持たせる第１のレンズと、第１のレンズからの光線を、第１の方向（副走査方向）に集光させる第２のレンズと、を含む偏向前光学手段と、前記偏向前光学系からの光を第１の方向に対し、概略垂直方向の、第２の方向（主走査方向）へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第１の方向に、負のパワーを持つ面を持つ樹脂レンズと、第１の方向に正のパワーを持つ片面凸のガラスシリンダレンズを含み、第２のレンズの樹脂レンズとガラスシリンダレンズは、空間部を持つとともに、その間にほぼ一定厚みを持ち、変形可能なシートを入れていることを特徴とする光走査装置を提供するものである。    
またさらにこの発明は、発光源と、前記発光源からの光線に所定の特性を持たせる第１のレンズと、第１のレンズからの光線を、第１の方向に集光させる第２のレンズと、を含む偏向前光学手段と、前記偏向前光学系からの光を第１の方向に対し、概略垂直方向の、第２の方向へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第２の方向にそって、その第１の方向の曲率半径を変える面を持つ樹脂レンズと、ガラスで構成される第１の方向に正のパワーを持つガラスシリンダレンズと、により構成されていることを特徴とする光走査装置を提供するものである。 
さらにまたこの発明は、発光源と、前記発光源からの光線に所定の特性を持たせる第１のレンズと、第１のレンズからの光線を、第１の方向に集光させる第２のレンズと、を含む偏向前光学手段と、前記偏向前光学系からの光を第１の方向に対し、概略垂直方向の、第２の方向へ偏向する、光偏向装置と、前記光偏向装置によって偏向された光を所定の像面上に概略等速度で結像させる、第２の方向のパワーに対し、第１の方向のパワーの方が大きい、樹脂を材料とする第３のレンズと、により構成されている光走査装置において、上記第２のレンズは、第２の方向にそって、その第２の方向の曲率半径を変える面を持つ樹脂レンズと、ガラスで構成される第１の方向に正のパワーを持つガラスシリンダレンズと、により構成されていることを特徴とする光走査装置を提供するものである。
【手続補正８】
【補正対象書類名】明細書
【補正対象項目名】００６２
【補正方法】変更
【補正の内容】
【００６２】
ハーフミラー１２Ｙにより、副走査方向に所定のビーム間隔を有する実質的に１本のレーザビームにまとめられたそれぞれのレーザビームＬＹａおよびＬＹｂは、レーザ合成ミラー１３Ｍ，１３Ｃ，１３Ｂを通過され、光偏向装置５に案内される。なお、Ｍ，ＣおよびＢについても同様な構成としている。
【手続補正９】
【補正対象書類名】明細書
【補正対象項目名】００７７
【補正方法】変更
【補正の内容】
【００７７】
この場合、ガラスレンズと、プラスチックレンズの接合面は、同じ曲率を持つことが望ましいが、多少のずれは許容できる。これにより、図５に示した第１の実施の形態と同様の効果を得ることができる。
【手続補正１０】
【補正対象書類名】明細書
【補正対象項目名】００９４
【補正方法】変更
【補正の内容】
【００９４】
すなわち、従来のハイブリッドレンズのプラスチックシリンダレンズを、主走査方向に、パワーを持つ面を持つ樹脂レンズに置き換えたことにある。実施例でいうと、表５の主走査方向曲率で、１面の曲率が「−」であり、これにより、主走査方向に負のパワーを持たせて、偏向後光学系で主走査方向に持っている正のパワーに対する温度変化による結像位置の変動をキャンセルさせている。
【手続補正１１】
【補正対象書類名】明細書
【補正対象項目名】０１０２
【補正方法】変更
【補正の内容】
【０１０２】
さらにまた、従来のハイブリッドレンズのプラスチックシリンダレンズを、副走査方向に、負のパワーを持つ面を持つプラスチックレンズとし、プラスチックレンズとガラスシリンダレンズは、片面凸の面をはさんで空間部を持つとともに、第２のレンズの樹脂レンズは、片面凸面方向へ当たる突き出し部を持つようにし、または、樹脂レンズとガラスシリンダレンズを、片面凸の面をはさんで空間部を持つとともに、その間にほぼ一定厚みを持ち、変形可能なシートを入れるようにしたことにより、光線が通過しない領域で、２つのレンズの傾きを補正する自動調心機構を持たせるべく、ガラスレンズの凸部と、曲率を持った面同士でガラスレンズとプラスチック面を接合し、しかも、光線が通過する位置ではガラスとプラスチックレンズが接触しないようにする。このことにより、多少、プラスチックレンズの形状がずれていても、急激に曲率が変わるようなことを防止し、像面でのフレア、およびビーム径の増大を防止することができる。